(57)【要約】【課題】バキューム効果による内容物の飛散のないパウダー容器を提案する。【解決手段】容器本体（１）と、蓋体（２）とを備えたパウダー容器において、前記容器本体（１）の側壁（１ｂ）に、その回りに沿って伸延し該側壁（１ｂ）の突端部（ｔ）にて切り欠かかれた凹部（３）を離間領域（４）をおいて複数形成するとともに該離間領域（４）又は凹部（３）の下側に位置する側壁（１ｂ）に係合部（５）を設け、前記蓋体（２）の周壁（２ａ）の内面側に、離間領域（４）の幅寸法（ｗ）よりも小さい幅（ｗ１）を有し前記蓋体（２）の取り外しに際して前記凹部（３）に位置せしめて外気導入路（Ｒ）を形成するが離間領域（４）に位置せしめることで外気導入路（Ｒ）を閉ざして気密状態に維持する溝部（６）と、前記係合部（５）に嵌まり込んで蓋体（２）を容器本体（１）に対して位置決め固定するリブ（７）を設ける。【選択図】図１
2005111133.tif 000002
【特許請求の範囲】
【請求項１】
底壁とこの底壁から起立する側壁によって取り囲まれた空間領域を内容物の収納空間とする容器本体と、前記側壁に対面する周壁を有しそれに被さって該収納空間を密閉し側壁の回りで回転させることによって取付、取り外しを可能とする蓋体とを備えたパウダー容器であって、
前記容器本体の側壁に、その回りに沿って伸延し該側壁の突端部にて切り欠かかれた凹部を離間領域をおいて複数形成するとともに該離間領域又は凹部の下側に位置する側壁に係合部を設け、
前記蓋体の周壁の内面側に、離間領域の幅寸法よりも小さい幅を有し前記蓋体の取り外しに際して前記凹部に位置せしめて外気導入路を形成するが蓋体の回転により該離間領域に位置せしめることで外気導入路を閉ざして気密状態に維持する溝部と、前記係合部に嵌まり込んで蓋体を容器本体に対して位置決め固定するリブを設けたことを特徴とするパウダー容器。
【請求項２】
前記リブは、前記溝部の直下に設けられたものである請求項１記載のパウダー容器。
【請求項３】
前記係合部は、前記リブが乗り越え可能なやや低めの凸部と、この凸部に間隔をおいて配置され前記リブの移動を阻止するとともに前記蓋体の容器本体に対する引き抜けを防止するＬ字状凸部からなる、請求項１又は２記載のパウダー容器。
【請求項４】
前記蓋体はその周壁の内側に、前記リブに隣接して設けられ前記蓋体の位置決め固定に際して前記Ｌ字状凸部の突端に当接する第２のリブを有する請求項１〜３の何れかに記載のパウダー容器。
【発明の詳細な説明】
【技術分野】
【０００１】
本発明は、容器本体に対して螺合あるいはしまり嵌め等によって装着される蓋体を有するパウダー容器に関するものであり、とくに該蓋体を取り外す時に生じがちな内容物の飛散を確実に防止しようとするものである。
【背景技術】
【０００２】
パウダー等の粉体を入れる容器には、普通、容器本体の口部に被さり螺合あるいはしまり嵌め等の方法でその口部を塞ぐ蓋体が備えられている。
【０００３】
ところで、この種の容器は、蓋体を取り外すまでは容器内に外気が侵入しづらくなっており、蓋体が容器本体の口部から離れた時にバキューム効果でもって外気が急速に容器内に入り込んで内容物が飛散し易い不具合があった。
【０００４】
このような内容物の飛散を防止するものとしては、底壁の周縁から周壁を起立させた容器体と、前記周壁外面に嵌着される周壁を有し、該周壁の両側部に、周壁下端面から母線方向に中途まで適宜間隔で切込みを入れ、且つこの切込みではさまれた部分の下部外面に係合溝を設けると共に下端部を押部として外方に張出させて形成した弾性張出部を設けた短筒と、前記係合溝に係嵌する係合条を頂壁周縁から垂設した周壁下部内面に形成すると共に、該周壁上部内面に係合凸条を形成して前記容器体に嵌合させた蓋体と、前記係合凸条上に周縁部を載置され且つ上面から上方に突出させた弾性脚片が前記頂壁に支承されて下方への付勢状態にて蓋体内部上方に横設され、蓋体装着により前記容器体口頂面に圧接されるパッキングとからなるパウダー容器が提案されている（例えば、特許文献１参照）。
【０００５】
【特許文献１】実公昭５７−１０２４６号公報
【発明の開示】
【発明が解決しようとする課題】
【０００６】
しかしながら、上記のような容器は、構造が複雑であり構成部材の数も増加するのが避けられないことから製造コストの上昇が避けられないばかりか、蓋体と容器体の相互に配置するパッキングを素早く取り外すような動作を伴う時にやはりバキューム効果でもって外気が容器内に急速に侵入して内容物が飛散することが懸念された。
【０００７】
本発明の課題は、蓋体を取り外す時に内容物の飛散を確実に防止できる新規なパウダー容器を提案するところにある。
【課題を解決するための手段】
【０００８】
本発明は、底壁とこの底壁から起立する側壁によって取り囲まれた空間領域を内容物の収納空間とする容器本体と、前記側壁に対面する周壁を有しそれに被さって該収納空間を密閉し側壁の回りで回転させることによって取付、取り外しを可能とする蓋体とを備えたパウダー容器であって、
前記容器本体の側壁に、その回りに沿って伸延し該側壁の突端部にて切り欠かかれた凹部を離間領域をおいて複数形成するとともに該離間領域又は凹部の下側に位置する側壁に係合部を設け、
前記蓋体の周壁の内面側に、離間領域の幅寸法よりも小さい幅を有し前記蓋体の取り外しに際して前記凹部に位置せしめて外気導入路を形成するが離間領域に位置せしめることで外気導入路を閉ざして気密状態に維持する溝部と、前記係合部に嵌まり込んで蓋体を容器本体に対して位置決め固定するリブを設けたことを特徴とするパウダー容器である。
【０００９】
前記リブは、前記溝部の直下に設けるのが好ましく、また、前記係合部については、前記リブが乗り越え可能なやや低めの凸部と、この凸部に間隔をおいて配置され前記リブの移動を阻止するとともに前記蓋体の容器本体に対する引き抜けを防止するＬ字状凸部からなるものが好ましい。
【００１０】
また、前記蓋体はその周壁の内側に、前記リブに隣接して設けられ前記蓋体の位置決め固定に際して前記Ｌ字状凸部の突端に当接する第２のリブを設けることができる。
【発明の効果】
【００１１】
蓋体が容器本体に装着されている閉状態では、該蓋体の周壁の内面側に設けた溝部は、離間領域に位置しており、容器は蓋体によって確実に密閉されているが、容器を開けるべく、蓋体を容器本体の側壁に沿う回転により該溝部が容器本体の凹部に位置した場合にその相互間に外気導入路が形成されそこを通して容器内に外気が侵入するため蓋体を取り外してもバキューム効果による内容物の飛散は起こらない。
【発明を実施するための最良の形態】
【００１２】
以下、図面を用いて本発明をより具体的に説明する。
図１は本発明に従うパウダー容器の実施の形態を偏平円筒容器の例で示したものであり、図における１は容器本体、２は蓋体である。
【００１３】
容器本体１は底壁１ａとこの底壁１ａの縁部から起立する側壁１ｂからなっており、これらによって取り囲まれた空間領域を内容物の収納空間ｍとするもので、その側壁１ｂの外面には、その回りに沿って伸延し該側壁１ｂの突端ｔにおいて切り欠かれた凹部３が離間領域４をおいて複数（一周分）設けられていて、該離間領域４の下側には係合部５が配置されている。
【００１４】
また、蓋体２については、容器本体１の側壁１ｂに対面する周壁２ａとこの周壁２ａの突端に一体的につながる天面壁２ｂからなり、容器本体１の側壁１ｂに被さって収納空間ｍを密閉する。
【００１５】
蓋体２の周壁２ａの内面側には、離間領域４の幅寸法ｗよりも小さい幅ｗ１を有する溝部６が、また、その溝部６の直下には、係合部５に嵌まり込んで蓋体２を容器本体１に対して位置決め固定するリブ７がそれぞれ設けられている。なお、容器本体１の凹部３の直下には図２に要部を拡大して示すように縦断面テーパー状のストレート部ｓが形成されており、該ストレート部ｓと蓋体２の周壁２ａの内壁が接することにより蓋体２を回転方向にスムーズに案内することができるようになっている。
【００１６】
上記係合部５をリブ７を乗り越えることができるやや低めの凸部５ａとこの凸部５ａに間隔をおいて配置されリブ７の移動を阻止するＬ字状凸部５ｂにて構成し、容器本体１の側壁１ｂに蓋体２を被せて収納空間ｍを密閉するとともに側壁１ｂの回りで回転させてリブ７を係合部５の凸部５ａとＬ字状５ｂの相互間に位置させると蓋体２の溝部６は図３のＡ部に示す如く離間領域４に位置することになり、これにより容器は密封状態に維持され、しかも、この時、蓋体２を引き抜こうとしてもリブ７がＬ字状凸部５ｂに接触して蓋体２の引き抜きが阻止される。
【００１７】
係合部５におけるリブ７の係合を解除して容器を開けるべく蓋体２を逆向きに回転させて溝部６を容器本体１の凹部３に位置させると蓋体２の周壁２ａと容器本体１の側壁１ｂの間には図３のＢ部に示す如く外気導入路Ｒが形成されるため外気が容器内にスムーズに侵入することになり、引き続いて蓋体２を容器本体１から取り外してもバキューム効果によって内容物が飛散することはない。
【００１８】
本発明は、図示の如くリブ７に隣接させて第２のリブ８を設けることもでき、このリブ８を容器の密閉時にＬ字状凸部５ｂの突端に当接させることで確実な位置決め固定が可能になる。
【００１９】
図４は本発明に従うパウダー容器の他の実施の形態を示したものである。この容器は、溝部６とリブ７を上掲図１〜３のものよりも周方向に４５度ずらして設けたものであり、この場合には、離間領域４の形成位置については溝部６に合わせて変更する。
【００２０】
本発明の実施の形態では、係合部５を構成する凸部のうち、一方については、Ｌ字状の凸部５ｂとして示したが、かかる凸部は容器の形式に応じてその形状を適宜に変更できるものであり、Ｌ字状にのみ限定されることはない。
【産業上の利用可能性】
【００２１】
蓋体を極僅かに回転させるだけで、外気導入路を通して外気が容器内に侵入するため、蓋体を容器本体から取り外し時にバキューム効果により内容物が飛散することはなくパウダーの如き粉体を収納しておくのに好適な使い勝手のよい容器が提供できる。
【図面の簡単な説明】
【００２２】
【図１】本発明の実施の形態を示した図である。
【図２】図１に示した容器の要部を拡大して示した断面図である。
【図３】図１に示した容器の断面図である。
【図４】本発明の他の実施の形態を示した図である。
【符号の説明】
【００２３】
１  容器本体
１ａ  底壁
１ｂ  側壁
２  蓋体
２ａ  周壁
２ｂ  天面壁
３  凹部
４  離間領域
５  係合部
５ａ  凸部
５ｂ  Ｌ字状凸部
６  溝部
７  リブ
８  第２のリブ
ｔ  突端部
ｍ  収納空間
【図１】
2005111133.tif 000003
【図２】
2005111133.tif 000004
【図３】
2005111133.tif 000005
【図４】
2005111133.tif 000006